(57)【特許請求の範囲】
【請求項１】
河川の底部の全面若しくは一部及び岸部にふとん籠を敷設してなる河川の護岸構造において、
ふとん籠の下方、且つ河川の底部から法面部に亘って、少なくとも護岸構造における底面よりも上方に水位を保持可能な態様で遮水シートを敷設すると共に、該遮水シートよりも上方の法面部に、該法面部側からの土圧を軽減し、且つ土砂の流出を防止するための吸出し防止シートを敷設してなることを特徴とする護岸構造。
【請求項２】
ふとん籠に少なくとも底部よりも上方に水位を保持可能な態様で堰を設けてなることを特徴とする請求項１に記載の護岸構造。
【発明の詳細な説明】
【０００１】
【発明の属する技術分野】
本発明は、河川の護岸構造に関し、詳しくは、渇水や伏流水を防止するのに好適な護岸構造に関する。
【０００２】
【従来技術】
ふとん籠を用いた護岸構造は、魚類や水生動植物等を生息可能とする多自然型護岸として、周辺環境の保護に大きく貢献している。
ところで、ふとん籠を用いた護岸構造では、ふとん籠の構造上、籠に詰めた石の隙間から水が流れ出して土中に浸透し、特に、減水期には、渇水や伏流水が発生する可能性を有している。
このような渇水や伏流水の発生は、河川において魚類や水生動植物等が生息できない環境を作ってしまう要因となり、つまり、多自然型護岸としての目的を達成できない状況が生じることとなる。
【０００３】
【発明が解決しようとする課題】
そこで本発明は、減水期においても渇水や伏流水を防止して魚類や水生動植物等が生息可能な環境を保持することを課題とし、この課題を達成できる護岸構造の提供を目的とする。
【０００４】
【課題を解決するための手段】
本発明は上記した目的を達成するために下記の技術的手段を採用する。前提技術としては、図１に示すように、河川の底部の全面若しくは一部及び法面部にふとん籠を敷設してなる河川の護岸構造において、河川の底部３１から法面部３２に亘って、少なくとも護岸構造における底面１１よりも上方に水位を保持可能な態様で遮水シート２を敷設してなる護岸構造にしたことである。この技術的手段によれば、遮水シート２により河川中の水の土中への流出が防止されるので、渇水や伏流水を防止することができる。
【０００５】
そして、本発明の特徴は、図２に示すように、河川の底部の全面若しくは一部及び法面部にふとん籠を敷設してなる河川の護岸構造において、河川の底部３１から法面部３２に亘って、少なくとも護岸構造における底面１１よりも上方に水位を保持可能な態様で遮水シート２を敷設すると共に、該遮水シート２よりも上方の法面部３２に、該法面部３２側からの土圧を軽減し、且つ土砂の流出を防止するための吸出し防止シート４を敷設してなる護岸構造にしたことである。この技術的手段によれば、遮水シート２により河川中の水の土中への流出が防止されるので、渇水や伏流水の発生を防止することができる上に、吸出し防止シート４により、法面部３２の崩壊を防止することができる。
【０００６】
【発明の実施の形態】
本発明の実施形態に係る遮水シート２の敷設態様は、図１乃至図３に示すように、河川の底部３１及び法面部３２に亘って、法面部３２に位置する遮水シート２の両端部２１が少なくとも護岸構造における底面１１よりも高い位置となるように敷設するものであり、この態様によって、減水時期においても水面高さを底面よりも上方に保持することができる。そして、吸出し防止シート４は、図２及び図３に示すように遮水シート２の両端部と連続させて遮水シート２の法面部位を除く法面部３２全域に敷設する。
【０００７】
水面高さの保持をより確実にするためには、少なくとも底面１１よりも上方に水位を保持可能な態様で堰５を設けることが挙げられる。堰５の配設態様としては、例えば、図３及び図４に示すようにふとん籠１自体に立設する態様、又、各ふとん籠の間に立設する態様（図示せず）が挙げられ、いずれのものも、流水方向に沿って任意の間隔を空けて多数立設し、上流から各堰５間ごとに水を貯め、満水を越した時点で水が堰５を乗り越えて順次下流へと流れるようにする。又、堰５は、少なくとも、伏流水が発生せず、魚類や水生動植物が生息可能な水位が確保できる高さを有するものであればよいが、魚類の移動を助けるために図に示すような魚道５２を備えると好適である。又、堰５は、図３及び図４に示すように間伐材５１を用いて可能な限り水漏れを抑制可能なように配設してなるものが好適であるが、他にも、石材やコンクリート材を用いたものでもよい。
【０００８】
【実施例】
以下、本発明の実施例を図1乃至図４に基づいて説明する。図１は、護岸構造の前提構成を示している。この護岸構造は、河川の底部３１から法面部３２全域に亘り遮水シート２を敷設し、その上にふとん籠１を敷設してなるものであり、遮水シート２で水の流出を防止し、水位を護岸構造の底面１１よりも上方にすることによって渇水や伏流水を防止することができる。
【０００９】
図２は、本発明に係る護岸構造の実施例を示している。本実施例の護岸構造は、河川の底部３１から法面部３２中途に亘り遮水シート２を敷設し、さらに、遮水シート２を敷設した部位を除く法面部３２全域に吸出し防止シート４を遮水シート２の両端部２１から連続させて敷設し、その上にふとん籠１を敷設したものである。遮水シート２は、両端部２１を図面上階段状に敷設したふとん籠１の３段目まで至らせて敷設してあり、吸出し防止シート４は、ふとん籠１の４段目から最上段まで至らせて敷設してある。本実施例の護岸構造は、減水期には遮水シート２で水の流出を防止し、水位を護岸構造の底面１１よりも上方にすることによって渇水や伏流水を防止し、例えば大雨によって土圧が高まる法面部３２上方からの水を吸出し防止シート４から護岸構造内側に抜くことによって、土圧を低下させて法面部３２の崩壊を防止することができる。
【００１０】
図３及び図４は、本発明に係る護岸構造の他の実施例を示している。本実施例の護岸構造は、前記実施例の護岸構造に堰５を加えたものであり、敷設されたふとん籠１に多数の間伐材５１を用いてなる堰５を立設して構成される。尚、本発明の護岸構造では、護岸構造に前記堰５を加えたものとしてもよい。
【００１１】
堰５を詳述すると、各間伐材５１を可能な限り密接させた状態、且つ先端が２段目のふとん籠１と略同高となるように河川を横断する方向に並べ、護岸構造の底面１１を構成するふとん籠１に差込み、ふとん籠１内の石１２で支持固定して構成している。
そして、前記した堰５を流水方向に沿って立設し、各堰５間に水を貯めるようにし、上流側から貯まった水Ｂが満水を越えると堰５を乗り越えて順次下流へと流れるようにしている。
又、本実施例の堰５では、間伐材の一本又は数本をやや低くして魚道５２を構成してあり、この魚道５２によって、魚類の上流及び下流への移動を可能にしている。
本実施例の護岸構造は、減水期には遮水シート２により水の流出を防止すると共に、堰５により狭い範囲で一時的に水を貯めることによって渇水や伏流水を防止し、例えば大雨によって土圧が高まる法面部３２上方からの水を吸出し防止シート４から護岸構造内側に抜くことによって、土圧を低下させて法面部３２の崩壊を防止することができる。
【００１２】
尚、前記ふとん籠１同士は番線（図示せず）を用いて連結してふとん籠１のずれや崩落を防止している。
又、本実施例の護岸構造は、前記ふとん籠１を段状に敷設したもので例示しているが、本発明ではこれに限定されるものではなく、例えば法面部位を平面状とする傾斜面にしたものであってもよい。
又、前記ふとん籠１は、金網で多量の石を包んでなる周知のものであり、いわゆるかごマット、鋼製かご枠と称せられるものを含む。
【００１３】
【発明の効果】
以上説明したとおり、本発明は下記の優れた効果を有する。一つには、遮水シートによって、ふとん籠に詰められた石の隙間から土中への水の流出が防止されているので、減水期においても渇水や伏流水の発生を防止して、魚類や水生動植物の生息環境を保持することができるという効果が有る。
【００１４】
また、遮水シートによって、ふとん籠に詰められた石の隙間から土中への水の流出が防止され、吸出し防止シートによって、法面にかかる土圧が軽減されるので、減水期においても渇水や伏流水の発生を防止して、魚類や水生動植物の生息環境を保持することができ、しかも、法面の崩壊を防止することができるという優れた効果が有る。
【００１５】
また、堰によって水を貯めるようにされているので、前記した請求項１及び請求項２の効果に加えて、減水期における渇水や伏流水の発生をより確実に防止することができるという優れた効果が有る。
【００１６】
したがって、本発明は、従来ではなし得なかった渇水や伏流水の発生を確実に防止し、魚類や水生動植物の生息環境を確実に保持できる多自然型の護岸構造を提供することができる。
【図面の簡単な説明】
【図１】  本発明の前提構成を示す断面図である。
【図２】  本発明に係る護岸構造の実施例を示す断面図である。
【図３】  本発明に係る護岸構造の他の実施例を示す切欠斜視図である。
【図４】図３の（４）−（４）断面図である。
【符号の説明】
１：ふとん籠
２：遮水シート
４：吸出し防止シート
５：堰
１１：底面
２１：両端部
３１：底部
３２：法面部
【図１】
0004014395.tif 000002
【図２】
0004014395.tif 000003
【図３】
0004014395.tif 000004
【図４】
0004014395.tif 000005